(57)【特許請求の範囲】
【請求項１】
配線ピットを形成すべく所定間隔に配置される配線床ブロックを備えた配線用床材であって、
前記配線ピットと連通して前記配線床ブロックの天板の下に形成され、配線器具を収容する収容部と、前記収容部と隣接して前記配線ピットと反対側に設けられ、床上から配線を引込むべく前記配線床ブロックに上方に開口する引込部とを有し、前記収容部は、前記配線器具を前記配線ピットと連通させるとともに前記引込部に臨ませた状態で収容し、前記引込部は、前記配線器具に接続されるプラグを差込方向に収容可能であり、前記プラグを前記配線器具に対して接続及び解除操作可能な大きさに形成されたことを特徴とする配線用床材。
【請求項２】
前記配線用床材の引込部は、前記配線床ブロックの天板の一部をノックアウトによる打抜きによって上方に開口することを特徴とする請求項１に記載の配線用床材。
【請求項３】
前記配線用床材の収容部は、前記配線床ブロックの天板の下に下方に開口して形成されていることを特徴とする請求項１または請求項２に記載の配線用床材。
【請求項４】
前記配線ピットを形成する各側面に、収容部が前記配線ピットに臨んで設けられたことを特徴とする請求項１乃至請求項３のいずれか１項に記載の配線用床材。
【請求項５】
前記配線用床材の引込部は、その周縁に前記引込部の開口を開口可能に閉塞する蓋体を載置するための段部を備えたことを特徴とする請求項１乃至請求項４のいずれか１項に記載の配線用床材。
【請求項６】
請求項１から４のいずれか１項に記載された配線用床材と、前記配線用床材の引込部の開口を開口可能に閉塞する蓋体とを具備することを特徴とする配線用床材装置。
【請求項７】
請求項５に記載された配線用床材と、前記配線用床材の引込部の段部に載置され、仕上材の裏面に貼着されるとともに前記引込部の開口を開口可能に閉塞する蓋体とを具備することを特徴とする配線用床材装置。
【発明の詳細な説明】
【０００１】
【産業上の利用分野】
本発明はＯＡルーム等の基礎床面に配線用床材を敷設して二重床を形成し、基礎床面と配線用床材との間の空間に電力線、電話線、信号線等の配線及びコンセントボックス等の配線器具を収納する配線用床材装置及び配線用床材に関するもので、特に、床上の配線を前記二重床の間に収納されている配線器具に接続するときの作業性を向上させた配線用床材装置及び配線用床材に関するものである。
【０００２】
【従来の技術】
近年における電子技術、通信技術の進歩によってＯＡ機器類は急速な進化を遂げ、更に、一般事務のＯＡ化もめざましい勢いで進展している。ところが、一方では、これに伴って、ＯＡ機器類に使用される電力線、通信線等の配線及びコンセントボックス等の配線器具が床面に混線、散乱し、オフィス内の美観が損なわれたり、配線につまずいたり、引っかけたりする危険が増大するようになった。このため、床面に配線用床材を敷設して二重床を形成し、二重床内の空間に配線及び配線器具を収容することが行なわれるようになってきている。
【０００３】
従来のこの種の配線用床材として、図６及び図７に示したものがある。
図６は従来の配線用床材を示す平面図、図７は図６のＢ−Ｂ切断線による断面図である。
図において、オフィスルームの基礎床面１には下方に開口する箱状の配線床ブロック２が碁盤目状に配列して成る配線用床材が敷設されている。前記配線床ブロック２は隣接する配線床ブロック２との間に開口縁部相互を薄肉の底部２ｉで連結した構造となっており、隣接する配線床ブロック２と底部２ｉとによって凹部状の配線ピット５が形成されている。そして、配線ピット５の上部空間は蓋体６によって覆われており、更に、配線床ブロック２と蓋体６の上面にタイルカーペット、ビニルタイル等からなる仕上材７が載置されている。
【０００４】
このように構成された従来の配線用床材は配線床ブロック２、蓋体６及び仕上材７によって二重床を形成し、配線ピット５には配線３及び配線器具４が収容される。これにより、配線ピット５内において配線器具４を介して配線３を中継することができ、また、前記配線器具４に床上からの配線３のプラグを接続することができる。
したがって、氾濫する配線３及び配線器具４が二重床の仕上材７によって覆われ、床上に露出しないので、オフィスルームはすっきりとした外観となり、配線３のつまずき、引っかけを防いでオペレーターの安全を確保できる。
【０００５】
【発明が解決しようとする課題】
しかし、従来の配線用床材２は載置強度上、配線ピット５の幅は必要最小限に抑えられているので、配線器具４を配線ピット５内に据置いた場合に、配線ピット５内の収納空間全体が閉塞されてしまうため、配線３の施工に支障をきたすことがあった。また、配線器具４の大きさによっては、配線ピット５内に収容することができなかった。
【０００６】
このため、図８の従来の別の配線用床材を示す平面図のように、配線床ブロック２の一部を除去し、それによって形成される空間内に配線器具４を収納することも行なわれている。しかし、この場合には、配線ピット５内が配線器具４によって塞がれてしまうことはないが、配線器具４の配線接続口を複数方向に臨ませることができず、更に、配線ピット５の巾が狭いため、配線ピット５に臨む配線接続口へのプラグの接続、解除ができない。
【０００７】
一方、ＯＡ機器の急速な進歩によって機器の増設や取替えの頻度が多くなるに従い、それに費やされる手間も多大となってきた。
【０００８】
そこで、本発明は、二重床の空間に配線器具等を収容することにより配線器具等による配線ピットの閉塞を防止でき、かつ、床上の配線を簡単に前記配線器具等に接続することができる配線用床材装置及び配線用床材の提供を課題とするものである。
【０００９】
【課題を解決するための手段】
請求項１にかかる配線用床材は、配線ピットを形成すべく所定間隔に配置される配線床ブロックを備えたものであって、
前記配線ピットと連通して前記配線床ブロックの天板の下に形成され、前記配線器具等を収容する収容部と、前記配線ピットの反対側に前記収容部と隣接し設けられ、床上から配線を引込むべく前記配線床ブロックに上方に開口する引込部とを有し、前記収容部は、前記配線器具等を前記引込部に臨ませた状態で収容するとともに、前記引込部は、配線器具等に接続されるプラグを差込操作方向に収容可能であり、前記プラグを配線器具等に対して接続及び解除操作可能な大きさに形成されたものとして配線用床材を構成したものである。
【００１０】
請求項２にかかる配線用床材は、請求項１に記載の引込部が、前記配線床ブロックの天板の一部をノックアウトによる打抜きによって開口するものである。
【００１１】
請求項３にかかる配線用床材は、請求項１、請求項２に記載の収容部が、前記配線床ブロックの天板の下に下方に開口して形成されたものである。
【００１２】
請求項４にかかる配線用床材は、請求項１乃至請求項３のいずれか１項に記載の配線ピットを形成する各側面に、収容部が前記配線ピットに臨んで設けられたものである。
【００１３】
請求項５にかかる配線用床材は、請求項１乃至請求項４のいずれか１項に記載の引込部が、その周縁に前記引込部の開口を開口可能に閉塞する蓋体を載置するための段部を備えたものである。
【００１４】
請求項６記載の配線用床材装置は、請求項１から４のいずれか１項に記載された配線用床材と、前記配線用床材の引込部の開口を開口可能に閉塞する蓋体とを具備するものである。
請求項７記載の配線用床材装置は、請求項５に記載された配線用床材と、前記配線用床材の引込部の段部に載置され、仕上材の裏面に貼着されるとともに前記引込部の開口を開口可能に閉塞する蓋体とを具備するものである。
【００１５】
【作用】
請求項１の発明においては、配線床ブロックに収容部を設けているので、その内部に配線器具等を収容することができる。その結果、配線ピットが配線器具等によって閉塞されることがない。
そして、配線床ブロックに、床上から配線を引込むために上方に開口する引込部を設けるとともに、前記配線器具等を前記引込部に臨む状態で収容すべく前記収容部を前記引込部と隣接して設けているので、床上の配線を前記引込部の上部から引込んで簡単に前記配線器具等に接続できる。また、収容部が配線ピットと連通するから、配線ピット内の配線を配線器具に容易に接続でき、整備された配線状態が得られる。さらに、収容部を、配線床ブロックの天板の下に形成したものであるから、収容部における天板の載置強度を確保できる。
また、引込部を、収容部に収容された配線器具等に接続されるプラグを収容可能であるとともに前記プラグを配線器具等に対して接続及び解除可能である大きさとしているから、引込部の空間内で床上からのプラグの接続、解除が可能である。
【００１６】
請求項２の発明においては、引込部を、前記配線床ブロックの天板の一部をノックアウトによる打抜きによって上方に開口するものであるから、床上の配線を引込むことが必要となった時点で配線床ブロックの一部を除去すればよく、それまでは、蓋体等の補強板などを使用して引込部の上部開口面を覆う手間を必要としない。
【００１７】
請求項３の発明においては、収容部を、配線床ブロックの天板の下に下方に開口して形成したものであるから、収容部における天板の載置強度を確保できる。
【００１８】
請求項４の発明においては、配線ピットを形成する各側面に、収容部が前記配線ピットに臨んで設けられたものであるから、配線ピット内の配線を配線器具に容易に接続できる。
【００１９】
また、本発明においては、引込部を、周縁に設けた段部に仕上材の裏面に貼着された蓋体を載置することにより上方に開口可能に閉塞したものであるから、例えば、この蓋体を柔軟な仕上材の裏面に貼付けるために、当該蓋体に沿って仕上材の一部を残して切断し、当該一部を支点として蓋体とともに仕上材を回動可能とすれば、インナーコンセントの蓋体のごとく構成される。
【００２０】
また、本発明は、上記特徴を有する配線用床材に、その引込部の開口を開口可能に閉塞する蓋体とを備えた配線用床材装置でもあるので、前記配線用床材の効果、及び、配線用床材と蓋体を組み合わせた効果を、配線用床材装置として発揮する。
【００２１】
【実施例】
以下、本発明の実施例を図１乃至図４に基づいて説明する。
図１は本発明の実施例の配線用床材を示す平面図、図２は図１のＡ−Ａ切断線による断面図、図３は図１の配線用床材において床上の配線を内部に引込むときの状態を示す斜視図、図４は図３の縦断面図である。
【００２２】
図において、オフィスルームの基礎床面１には合成樹脂等によって一体に形成された方形の配線床ブロック２が所定間隔をおいて碁盤目状に敷設されており、各配線床ブロック２は図示しない連結部材によって相互に位置ずれしないようになっている。前記配線床ブロック２は方形板状の天板２ａと、前記天板２ａの隅部に設けられた支持脚２ｂと、前記天板２ａの中央部の複数箇所に設けられ、天板２ａから下垂して基礎床面１と当接する補強用のリブ２ｃとが一体に形成されてなる。
なお、前記配線床ブロック２は支持脚２ｂの下端に外側水平方向に突出し、下面が基礎床面１と当接する底板を一体に設け、各配線床ブロック２の底板の端面同士を相互に当接させることにより、連結部材を使用することなく、所定間隔を保持して一定の位置に配設することができる。この場合は、配線用床材は配線床ブロック２と前記底板とで構成されたものとなる。
【００２３】
更に、配線床ブロック２の周縁側面の支持脚２ｂは一部が開口形成されており、また、前記天板２ａと基礎床面１との間の空間の周辺部には、収容部２ｅが形成されている。前記収容部２ｅの内部には床上及び床下の電源コード、通信ケーブル或いは電話線等の配線３を接続するためのコンセントボックス、電話端子ボックス等の配線器具４が収容できるようになっている。前記配線器具４は前記配線床ブロック２の側面開口部２ｄ側及び収容部２ｅの反対側にそれぞれ面する、配線用のプラグ３ａを接続するための接続口４ａ及び接続口４ｂを有している。また、配線床ブロック２の天板２ａの中央部には、上方に開口した空間が形成されており、床上の配線３を引込んで前記配線器具４に接続するための作業スペース及び引込配線先端のプラグ３ａ等を収納するスペースとなる引込部２ｆが設けられている。
【００２４】
更に、隣接する配線床ブロック２との間には所定幅の空間を有する配線ピット５が形成され、その内部には配線３が収容されている。前記配線ピット５の上部は、配線床ブロック２の天板２ａの周縁部に形成された段部２ｇに鋼板、アルミニウム板或いは硬質の合成樹脂等からなる蓋体６が載置されることによって開口可能に閉塞されている。そして、配線床ブロック２の天板２ａ及び蓋体６の上面にはタイルカーペット、ビニルタイル等からなる仕上材７が敷設されている。前記仕上材７は配線床ブロック２の引込部２ｆの上部開口面の全体を覆う部分がコ字状に切欠形成され、その切欠部７ａの裏面に、配線床ブロック２の引込部２ｆの部分に形成された段部２ｈに載置される、鋼板、アルミニウム板或いは硬質の合成樹脂等からなる補強板６ａが貼着されている。即ち、コ字状の切欠部７ａを上方に回動すれば、補強板６ａも一体に回動するようになっている。なお、前記補強板６ａは仕上材７と一体化することなく、単独で載置させるものであってもよい。
【００２５】
次に、上記のように構成された本実施例の配線用床材における配線器具の収容及び床上の配線の引込み作業を説明する。
配線床ブロック２の収容部２ｅへの配線器具４の収容は側面開口部２ｄから挿入して行なうことができる。
【００２６】
また、床上の配線３を引込んで配線床ブロック２の収容部２ｅ内の配線器具４に接続するには、まず、配線床ブロック２の引込部２ｆを覆う部分に敷設されている仕上材７の切欠部７ａを裏面に貼着されている補強板６ａとともに一端を軸に上方に回動する。このとき、仕上材７はタイルカーペット、ビニルタイル等の可撓性材料で形成されているので、仕上材７の切欠部７ａの先端部を把持して簡単に上方に折曲することができる。その後、床上の配線３を配線床ブロック２の引込部２ｆの上部開口面から斜め下方に挿入し、先端のプラグ３ａを引込部２ｆ内の配線器具４の接続口４ｂに接続する。
そして、配線３先端のプラグ３ａを配線器具４の配線接続口４ｂに接続した後、仕上材７の切欠部７ａを下方に回動して元の水平状態に戻す。これによって、床上の配線３の接続作業が完了する。
【００２７】
なお、図示しないが、仕上材７の先端縁部または配線床ブロック２の段部２ｈの一部に配線３を挿通するための切欠を設けておくことにより、仕上材７に貼着された補強板６ａによる配線３の挟込みを防止することができる。
【００２８】
このように、本実施例の配線用床材は、天板２ａ、支持脚２ｂ及びリブ２ｃからなる配線床ブロック２を、配線ピット５を形成すべく所定間隔に配置するとともに、前記配線床ブロック２に床上から配線３を引込むために上方に開口する引込部２ｆと配線器具４を収容するための収容部２ｅとを設け、かつ、前記配線床ブロック２の収容部２ｅを、配線器具４を前記引込部２ｆに臨ませた状態に収容すべく前記引込部２ｆと隣接して設けるとともに、前記配線ピット５と連通させ、更に、前記引込部２ｆを、周縁の段部２ｈに載置された補強板６ａ及び仕上材７の切欠部７ａを介して上方に開口可能に閉塞したものである。
【００２９】
したがって、配線床ブロック２に配線ピット５と連通する収容部２ｅを設けているので、配線ピット５内の配線３を配線器具４に接続できる状態で前記収容部２ｅの内部に収容することができる結果、配線ピット５が配線器具４によって閉塞されるのを防止できる。
また、配線床ブロック２に床上から配線３を引込むために上方に開口する引込部２ｆを設けるとともに、前記収容部２ｅを前記配線器具４が前記引込部２ｆに臨む状態で収容すべく前記引込部２ｆと隣接して設けているので、床上の配線３を前記引込部２ｆの上部から引込んで簡単に前記配線器具４に接続することができる。
【００３０】
次に、本発明の別の実施例を図５に基づいて説明する。
図５は本発明の別の実施例による配線用床材を示す平面図である。
図において、配線床ブロック２は前述の実施例と比べて大型の場合を示し、収容部２ｅを周辺部の１６箇所に、引込部２ｆを中央部の４箇所に設けたレイアウトとしたものであり、他の構成部分は前述の実施例と同様である。
したがって、この実施例においても、前述の実施例と同様に作用し、同様の効果を期待できる。
【００３１】
ところで、上記各実施例では、仕上材７に切欠部７ａを設け、補強板６ａと一体として一端を軸に上方に回動することにより配線床ブロック２の引込部２ｆの上部を開口可能に閉塞した構造としているが、本発明を実施する場合は、これに限定されることなく、引込部２ｆの上部開口面を取外し可能な蓋体６を載置することによって覆ってもよく、或いは、引込みが必要となった時点で引込部２ｆの上部開口面を覆う部分の天板２ａをノックアウトによって開口し、蓋体６で上部開口面を覆う構造としてもよい。ここで、ノックアウトによる打抜きとした場合には、床上の配線を引き込んで接続が必要となるまでは、引込部２ｆの上部に蓋体等の補強板を載置する手間は不要であるという効果を奏する。
【００３２】
また、上記各実施例では、配線床ブロック２の収容部２ｅの上部は天板２ａによって覆われているが、収容部２ｅの上方の部分の天板２ａを予め除去して開口しておき、その開口面を蓋体等の補強板で覆う構造としてもよく、この場合には、天板２ａの上方からの収容が可能となるため、配線器具等の据付け、取外し作業が容易となる。或いは、配線器具等の収容が必要となった時点で、天板２ａの該当部分をノックアウトにより開口形成することもできる。
【００３３】
更に、配線床ブロック２の収容部２ｅを下方に開口し、天板２ａの下部に配線器具等を保持する保持部を形成するとともに、前記保持部を上方に臨ませるべく、天板２ａの一部を上方に回動可能な構造としたものとすることもできる。
【００３４】
そして、上記各実施例の収容部２ｅ及び引込部２ｆの個数、レイアウト等はこれに限定されることなく、配線床ブロック２の大きさ、配線器具４の収納数等に応じて任意に設定すればよい。
【００３５】
【発明の効果】
以上のように、請求項１の発明は、配線床ブロックの天板の下に収容部を設けているので、その内部に配線器具等を収容することができる結果、配線ピットが配線器具等によって閉塞されるのを防止できる。また、配線床ブロックに上方に開口する引込部を設けるとともに、前記配線器具等を前記引込部に臨む状態で収容すべく前記収容部を前記引込部と隣接して設けているので、床上の配線を前記引込部の上部から引込んで簡単に前記配線器具等に接続することができる。更に、収容部が配線ピットと連通するから、配線ピット内の配線を配線器具に容易に接続でき、整備された配線状態を得ることができる。さらに、収容部を、配線床ブロックの天板の下に形成したものであるから、収容部における天
板の載置強度を確保できる。
そして、引込部を、収容部に収容された配線器具等に接続されるプラグを収容可能であるとともに前記プラグを配線器具等に対して接続及び解除操作可能である大きさとしているから、引込部の空間内で床上からのプラグの接続、解除操作が可能である。
【００３６】
請求項２の発明は、引込部を、前記配線床ブロックの天板の一部をノックアウトによる打抜きによって上方に開口するものであるから、床上の配線を引込むことが必要となった時点で配線床ブロックの一部を除去すればよく、それまで、蓋体等の補強板などを使用して引込部の上部開口面を覆う手間を不要とすることができる。
【００３７】
請求項３の発明は、収容部を、配線床ブロックの天板の下に下方に開口して形成したものであるから、収容部における天板の載置強度を確保できる。
【００３８】
請求項４の発明は、配線ピットを形成する各側面に、収容部が前記配線ピットに臨んで設けられたものであるから、配線ピット内の配線を配線器具に容易に接続できる。
【００３９】
また、本発明は、引込部を、周縁に設けた段部に仕上材の裏面に貼着された蓋体を載置することにより上方に開口可能に閉塞したものであるから、例えば、この蓋体を柔軟な仕上材の裏面に貼付けるために、当該蓋体に沿って仕上材の一部を残して切断し、当該一部を支点として蓋体とともに仕上材を回動可能とすれば、インナーコンセントの蓋体のごとく構成することができる。
【００４０】
また、本発明は、上記特徴を有する配線用床材に、その引込部の開口を開口可能に閉塞する蓋体とを備えた配線用床材装置でもあるので、前記配線用床材の効果、及び、配線用床材と蓋体を組み合わせた効果を、配線用床材装置として発揮する。
【図面の簡単な説明】
【図１】図１は本発明の実施例の配線用床材を示す平面図である。
【図２】図２は図１のＡ−Ａ切断線による断面図である。
【図３】図３は図１の配線用床材において床上の配線を内部に引込むときの状態を示す斜視図である。
【図４】図４は図３の縦断面図である。
【図５】図５は本発明の別の実施例による配線用床材を示す平面図である。
【図６】図６は従来の配線用床材を示す平面図である。
【図７】図７は図６のＢ−Ｂ切断線による断面図である。
【図８】図８は従来の別の配線用床材を示す平面図である。
【符号の説明】
１    基礎床面
２    配線床ブロック
２ａ  天板
２ｅ  収容部
２ｆ  引込部
２ｈ  段部
３    配線
３ａ  プラグ
４    配線器具
５    配線ピット
６ａ  補強板
７ａ  切欠部
【図１】
0003814694.tif 000002
【図２】
0003814694.tif 000003
【図３】
0003814694.tif 000004
【図４】
0003814694.tif 000005
【図５】
0003814694.tif 000006
【図６】
0003814694.tif 000007
【図７】
0003814694.tif 000008
【図８】
0003814694.tif 000009